(57)【要約】【課題】簡単な構成の加湿装置を備えて室内の加湿暖房が可能な加湿空調システムを提供する。【解決手段】加湿空調システム１Ａは、超音波振動子を利用して加湿空気ＷＡを生成する加湿装置３Ａと、浴室５１の空気を吸い込み、温風または送風を吹き出す浴室空調装置２Ａを浴室５１の天井に備える。浴室空調装置２Ａと加湿装置３Ａはダクト４Ａで接続され、浴室空調装置２Ａは、加湿装置３Ａの吸込グリル３７ａから吸い込まれる空気の流れを発生させて、加湿装置３Ａで生成された加湿空気ＷＡを吸い込み、温風と共に浴室５１に吹き出して、浴室５１の加湿暖房を行う。【選択図】        図１
2008157529.tif 000002
【特許請求の範囲】
【請求項１】
室内から空気を吸い込む空気吸込口を有すると共に、前記空気吸込口から吸い込んだ空気を加湿して加湿空気を生成する加湿手段を有した加湿装置と、
空気を吸い込んで、室内吹出口から室内に吹き出す送風手段を有すると共に、前記送風手段で室内に吹き出す空気を加熱する加熱手段を有し、前記送風手段で空気が吸い込まれる吸込口が、空気が通るダクトを介して前記加湿装置と接続され、前記送風手段で前記加湿装置の前記空気吸込口から空気を吸い込むことによって、前記加湿装置で生成された加湿空気を吸い込んで室内に吹き出す空調装置と
を備えたことを特徴とする加湿空調システム。
【請求項２】
前記加湿装置と前記空調装置は、浴室の天井に設置され、前記加湿装置の前記空気吸込口と、前記空調装置の少なくとも前記室内吹出口を一体に有したパネル部材が、前記加湿装置及び前記空調装置の下面に取り付けられる
ことを特徴とする請求項１記載の加湿空調システム。
【請求項３】
室内吸込口から室内の空気を吸い込んで、室内吹出口から同室に吹き出すか外部吹出口へ吹き出す送風手段を有すると共に、前記送風手段で室内に吹き出す空気を加熱する加熱手段を有した空調装置と、
前記空調装置の前記外部吹出口と空気が通るダクトを介して接続され、前記ダクトを介して前記空調装置から送られた空気を加湿して加湿空気を生成する加湿手段を有すると共に、室内に加湿空気を吹き出す加湿空気吹出口を有した加湿装置と
を備えたことを特徴とする加湿空調システム。
【請求項４】
前記加湿装置は、前記ダクトを介して前記空調装置から送られた空気の全部または一部を、前記加湿空気吹出口から室内に吹き出すか、排気するかを切り替える風路切換部を備えた
ことを特徴とする請求項３記載の加湿空調システム。
【請求項５】
前記加湿装置は、超音波振動子により水を振動させて発生させた微細化した水滴で空気を加湿して、加湿空気を生成する前記加湿手段、または、水加熱手段により水を加熱して発生させた水蒸気で空気を加湿して、加湿空気を生成する前記加湿手段を備えた
ことを特徴とする請求項１，２，３または４記載の加湿空調システム。
【請求項６】
送風された空気を加湿して加湿空気を生成する加湿手段と、
室内に加湿空気を吹き出す加湿空気吹出口と、
前記加湿手段で生成された加湿空気の全部または一部を、前記加湿空気吹出口から室内に吹き出すか、排気するかを切り替える風路切換部を備えた
ことを特徴とする加湿装置。
【発明の詳細な説明】
【技術分野】
【０００１】
本発明は、浴室やシャワー室等の室内の加湿暖房を行う加湿空調システム及びこの加湿空調システムを構成する加湿装置に関する。
【背景技術】
【０００２】
従来より、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ミストの噴出のみで浴室を暖める場合、温度が十分に上がらないという問題があった。
【０００５】
そこで、暖房機による温風の吹き出しと併用してミストを噴出することで、短時間で浴室の温度を上げられるようにしたミスト装置が提案されている（例えば、特許文献２参照）。
【０００６】
また、加湿装置としては、超音波振動子により水を振動させ、微細化した水滴を発生させて空気を加湿する超音波加湿器や、ヒータで水を加熱して水蒸気を発生させて空気を加湿するヒータ式の加湿器も提案され、例えば、装置本体と室外機を備え、室外機に超音波加湿器を組み込んだ浴室乾燥機も提案されている（例えば、特許文献３参照）。
【０００７】
【特許文献１】特公平６−５９３０１号公報
【特許文献２】特開２００２−６１８６０号公報
【特許文献３】特許第３７５６０５５号公報
【発明の開示】
【発明が解決しようとする課題】
【０００８】
しかし、水を霧状のミストにして噴出し、加湿暖房を行う構成では、入浴者等が直接水滴を浴びることで体が濡れてしまい、発汗により体が濡れているのか、ミストにより体が濡れているのか判断しにくい状況になってしまい、加湿暖房を行っても、発汗を実感できないという問題があった。
【０００９】
これに対して、超音波加湿器やヒータ式の加湿器を利用すれば、直接水滴を浴び難くなって、加湿暖房による発汗は実感しやすくなるが、超音波加湿器で発生させた微細化した水滴やヒータ式の加湿器で発生させた水蒸気を送風する手段が備えられていないと、十分な加湿効果が得られないという問題があった。
【００１０】
また、微細化した水滴を送風するため、室外機に超音波加湿器を組み込んだ浴室乾燥機では、室内機と室外機の双方にファンやファンを駆動するためのモータが必要で、部品点数が多くなって、コストが上昇すると共に、装置が大型化するという問題があった。
【００１１】
本発明は、このような課題を解決するためになされたもので、簡単な構成の加湿装置を備えて室内の加湿暖房が可能な加湿空調システム及びこの加湿空調システムを構成する加湿装置を提供することを目的とする。
【課題を解決するための手段】
【００１２】
上述した課題を解決するため、本発明の加湿空調システムは、室内から空気を吸い込む空気吸込口を有すると共に、空気吸込口から吸い込んだ空気を加湿して加湿空気を生成する加湿手段を有した加湿装置と、空気を吸い込んで、室内吹出口から室内に吹き出す送風手段を有すると共に、送風手段で室内に吹き出す空気を加熱する加熱手段を有し、送風手段で空気が吸い込まれる吸込口が、空気が通るダクトを介して加湿装置と接続され、送風手段で加湿装置の空気吸込口から空気を吸い込むことによって、加湿装置で生成された加湿空気を吸い込んで室内に吹き出す空調装置とを備えたことを特徴とする。
【００１３】
本発明の加湿空調システムでは、加湿装置は、空気を加湿して加湿空気を生成する。また、空調装置は、加湿装置の空気吸込口から空気を吸い込むことで、加湿装置で生成された加湿空気を吸い込み、加湿装置より吸い込んだ加湿空気を加熱して室内に吹き出して、室内の加湿暖房を行う。
【００１４】
また、本発明の加湿空調システムは、室内吸込口から室内の空気を吸い込んで、室内吹出口から同室に吹き出すか外部吹出口へ吹き出す送風手段を有すると共に、送風手段で室内に吹き出す空気を加熱する加熱手段を有した空調装置と、空調装置の外部吹出口と空気が通るダクトを介して接続され、ダクトを介して空調装置から送られた空気を加湿して加湿空気を生成する加湿手段を有すると共に、室内に加湿空気を吹き出す加湿空気吹出口を有した加湿装置とを備えたことを特徴とする。
【００１５】
本発明の加湿空調システムでは、加湿装置は、空気を加湿して加湿空気を生成する。また、空調装置は、室内の空気を循環させて温風を吹き出すと共に、加湿装置に空気を送り、加湿装置で生成された加湿空気を室内に吹き出させて、室内の加湿暖房を行う。
【００１６】
更に、本発明の加湿装置は、送風された空気を加湿して加湿空気を生成する加湿手段と、室内に加湿空気を吹き出す加湿空気吹出口と、加湿手段で生成された加湿空気の全部または一部を、加湿空気吹出口から室内に吹き出すか、排気するかを切り替える風路切換部を備えたことを特徴とする。
【００１７】
本発明の加湿装置では、他の装置から送風された空気が加湿されて加湿空気吹出口から室内に吹き出されて、室内の加湿暖房が行われる。
【発明の効果】
【００１８】
本発明の加湿空調システムによれば、独立した構成の加湿装置と空調装置を備え、加湿装置の送風は、空調装置で発生させる空気の流れを利用することで、加湿装置には、送風のためのファンやファンの駆動手段が不要となり、部品点数を削減することで低コスト化を図ることができると共に、装置の小型化が可能である。
【００１９】
また、加湿装置の小型化が可能であるので、室内に露出する吸込口または吹出口を有するパネル部材の小型化が可能となり、パネル部材を室内で目立たなくすることが可能となって、見栄えが良くなる。
【００２０】
更に、加湿装置の小型化が可能であるので、設置場所の制約が少なくなり、加湿空気の吹き出す位置を、加湿暖房に最適な位置となるように装置を設置することも可能となる。
【発明を実施するための最良の形態】
【００２１】
以下、図面を参照して本発明の加湿空調システム及び加湿装置の実施の形態について説明する。
【００２２】
＜第１の実施の形態の加湿空調システムの構成例＞
図１は、第１の実施の形態の加湿空調システムの一例を示す構成図である。第１の実施の形態の加湿空調システム１Ａは、浴室５１の空気を循環させて、温風または送風を吹き出す浴室空調装置２Ａと、加湿空気ＷＡを生成する加湿装置３Ａを備え、浴室空調装置２Ａと加湿装置３Ａが浴室５１の天井に設置される。
【００２３】
浴室空調装置２Ａは、加湿装置３Ａがダクト４Ａにより接続され、浴室空調装置２Ａで浴室５１から吸い込んだ空気と、加湿装置３Ａから吸い込んだ加湿空気ＷＡが混合されて、温湿風ＨＷＡが浴室５１に吹き出され、浴室５１の加湿暖房が行われる。
【００２４】
図２は、第１の実施の形態の加湿空調システム１Ａにおける浴室空調装置の一例を示す構成図であり、次に、加湿空調システム１Ａを構成する浴室空調装置２Ａの構成について説明する。
【００２５】
浴室空調装置２Ａは空調装置の一例で、浴室暖房換気乾燥装置等と称され、図１に示す浴室５１から空気ＲＡを吸い込んで吹き出すファン部２０と、ファン部２０から吹き出される空気を浴室５１に吹き出すか、排気するかを切り替える風路切換部２１と、浴室５１へ吹き出す空気を加熱するヒータ２２とを備える。
【００２６】
ファン部２０は送風手段の一例で、回転駆動される多翼のファン２３と、ファン２３を回転駆動するファンモータ２３ａと、風路を形成するファンケース２４を備える。
【００２７】
浴室空調装置２Ａは、ファン２３の軸方向に沿ったファンケース２４の下面に主ファン吸込口２４ａを備えると共に、ファンケース２４の上面に副ファン吸込口２４ｂを備え、ファンケース２４は、ファン２３が回転駆動されることで主ファン吸込口２４ａ及び副ファン吸込口２４ｂから吸い込んだ空気を、ファン２３の接線方向に吹き出す風路を形成する。
【００２８】
風路切換部２１は、風路を切り換えるダンパ２５を備える。ダンパ２５は、図示しないダンパモータの駆動力がカム２５ａを介して伝達され、軸２５ｂを支点に回転して開閉動作を行う。
【００２９】
浴室空調装置２Ａは、風路切換部２１の下方に吹出口２６ａを備えると共に、風路切換部２１の側方に排気口２６ｂを備える。また、浴室空調装置２Ａは、副ファン吸込口２４ｂと連通する副吸込口２６ｃを、排気口２６ｂと独立して一の側面に備える。
【００３０】
浴室空調装置２Ａは、ダンパ２５を図２（ａ）に示す循環位置とすると、排気口２６ｂへの風路が遮断され、主ファン吸込口２４ａ及び副ファン吸込口２４ｂから吹出口２６ａへ連通した循環風路２１ａが形成される。
【００３１】
また、ダンパ２５を図２（ｂ）に示す換気位置とすると、吹出口２６ａへの風路が遮断され、主ファン吸込口２４ａ及び副ファン吸込口２４ｂから排気口２６ｂへ連通した換気風路２１ｂが形成される。
【００３２】
更に、ダンパ２５を図２（ｃ）に示す分流位置とすると、主ファン吸込口２４ａ及び副ファン吸込口２４ｂから吹出口２６ａへ連通した循環風路２１ａと、主ファン吸込口２４ａ及び副ファン吸込口２４ｂから排気口２６ｂへ連通した換気風路２１ｂの双方が形成される。
【００３３】
ヒータ２２は加熱手段の一例で、吹出口２６ａにＰＴＣヒータ等の電気ヒータを備えて構成される。なお、吹出口２６ａに、風向を切り換える電動の吹出ルーバを備える構成としても良い。
【００３４】
浴室空調装置２Ａは、下面にフロントパネル２７を備える。フロントパネル２７は、浴室空調装置２Ａに着脱できるように構成され、主ファン吸込口２４ａとつながり室内吸込口を構成する吸込グリル２７ａを備えると共に、吹出口２６ａとつながり室内吹出口を構成する吹出グリル２７ｂを備える。また、フロントパネル２７は、吸込グリル２７ａの裏側に図示しないフィルタが交換可能に取り付けられる。
【００３５】
また、浴室空調装置２Ａは、主ファン吸込口２４ａに温度検出センサ２８が備えられ、フロントパネル２７の吸込グリル２７ａから主ファン吸込口２４ａに吸い込まれる空気の温度を検出することで、浴室５１の温度を検出可能となっている。
【００３６】
更に、浴室空調装置２Ａは、排気口２６ｂに排気ダクトジョイント２９ａを備えると共に、副吸込口２６ｃに副吸込ダクトジョイント２９ｂを備える。
【００３７】
図３は、第１の実施の形態の加湿空調システム１Ａにおける加湿装置の第１の例を示す構成図であり、次に、加湿空調システム１Ａを構成する加湿装置３Ａ−１の構成について説明する。
【００３８】
第１の実施の形態における第１の例の加湿装置３Ａ−１は、超音波振動子を利用した形態の加湿装置で、微細化した水滴Ｍを発生させて霧状の加湿空気ＷＡを生成する加湿部３０Ａを備える。
【００３９】
加湿部３０Ａは加湿手段の一例で、水Ｗを貯める水槽３２Ａと、水槽３２Ａに貯水された水Ｗを振動させて微細化した水滴Ｍを発生させる超音波振動子３３Ａと、微細化されて拡散された水滴Ｍに、空気を混合させて加湿し、加湿空気ＷＡを生成する加湿風路３４を備える。また、加湿部３０Ａは、水槽３２Ａに給水を行う給水機構３２ｓと、水槽３２Ａの排水を行う排水機構３２ｅと、水槽３２Ａ内の水位を検出する水位センサ３２ｗを備える。
【００４０】
水槽３２Ａは、上面が開口して加湿風路３４に露出すると共に、底面に超音波振動子３３Ａを備え、水槽３２Ａに貯水された水Ｗを超音波振動子３３Ａで振動させることで微細化した水滴Ｍを発生させ、水槽３２Ａの上部の加湿風路３４へと拡散させる。
【００４１】
給水機構３２ｓは、図示しない上水管と接続され、例えば水槽３２Ａの上部に給水口３２ｓｗを備えると共に、給水ＳＷの有無を切り替える給水バルブ３２ｓｂを備える。
【００４２】
また、排水機構３２ｅは、浴室５１の図示しない排水管と接続され、水槽３２Ａの底面に排水口３２ｅｗを備えると共に、排水ＥＷの有無を切り替える排水バルブ３２ｅｂを備える。
【００４３】
水位センサ３２ｗは、水槽３２Ａ内にフロートを備え、フロートの位置で水位を検出する。
【００４４】
加湿装置３Ａ−１は、下面にフロントパネル３７を備える。フロントパネル３７は、加湿装置３Ａ−１に着脱できるように構成され、加湿風路３４とつながる吸込グリル３７ａを備える。
【００４５】
また、加湿装置３Ａ−１は、加湿風路３４とつながる排出口３８を一の側面に備えると共に、排出口３８に排出ダクトジョイント３８ａを備える。
【００４６】
吸込グリル３７ａは空気吸込口の一例で、吸込グリル３７ａから吸い込まれた空気が、加湿風路３４によって水槽３２Ａの上部を通り、排出口３８へと流れる。
【００４７】
図４は、第１の実施の形態の加湿空調システム１Ａにおける加湿装置の第２の例を示す構成図であり、次に、加湿空調システム１Ａを構成する加湿装置３Ａ−２の構成について説明する。
【００４８】
第１の実施の形態における第２の例の加湿装置３Ａ−２は、ヒータを利用した形態の加湿装置で、水蒸気ＷＶを発生させて加湿空気ＷＡを生成する加湿部３０Ｂを備える。
【００４９】
加湿部３０Ｂは加湿手段の一例で、水Ｗを貯める水槽３２Ｂと、水槽３２Ｂに貯水された水Ｗを加熱して水蒸気ＷＶを発生させる水加熱手段としてのヒータ３３Ｂと、空気を水蒸気ＷＶで加湿して加湿空気ＷＡを生成する加湿風路３４を備える。また、加湿部３０Ｂは、水槽３２Ｂに給水を行う給水機構３２ｓと、水槽３２Ｂの排水を行う排水機構３２ｅと、水槽３２Ｂ内の水位を検出する水位センサ３２ｗを備える。
【００５０】
水槽３２Ｂは、上面が開口して加湿風路３４に露出すると共に、内部にヒータ３３Ｂを備え、水槽３２Ｂに貯水された水Ｗをヒータ３３Ｂで加熱することで水蒸気ＷＶを発生させ、水槽３２Ｂの上部の加湿風路３４へと拡散させる。
【００５１】
給水機構３２ｓは、図示しない上水管と接続され、例えば水槽３２Ｂの上部に給水口３２ｓｗを備えると共に、給水ＳＷの有無を切り替える給水バルブ３２ｓｂを備える。
【００５２】
また、排水機構３２ｅは、浴室５１の図示しない排水管と接続され、水槽３２Ｂの底面に排水口３２ｅｗを備えると共に、排水ＥＷの有無を切り替える排水バルブ３２ｅｂを備える。
【００５３】
水位センサ３２ｗは、水槽３２Ｂ内にフロートを備え、フロートの位置で水位を検出する。
【００５４】
加湿装置３Ａ−２は、下面にフロントパネル３７を備える。フロントパネル３７は、加湿装置３Ａ−２に着脱できるように構成され、加湿風路３４とつながる吸込グリル３７ａを備える。
【００５５】
また、加湿装置３Ａ−２は、加湿風路３４とつながる排出口３８を一の側面に備えると共に、排出口３８に排出ダクトジョイント３８ａを備える。
【００５６】
吸込グリル３７ａは空気吸込口の一例で、吸込グリル３７ａから吸い込まれた空気が、加湿風路３４によって水槽３２Ｂの上部を通り、排出口３８へと流れる。
【００５７】
＜第１の実施の形態の加湿空調システムの設置例＞
次に、上述した浴室空調装置２Ａと加湿装置３Ａを備えた加湿空調システム１Ａの設置例について、図１等を参照に説明する。
【００５８】
浴槽５１ａ等を備えた浴室５１の天井パネルの所定の位置には、図２で説明した浴室空調装置２Ａの本体が入る開口部が形成され、浴室空調装置２Ａは、フロントパネル２７が露出するようにして、天井裏から吊り下げる形態、あるいは天井パネルに固定する形態等で設置される。
【００５９】
浴室５１の天井に取り付けられた浴室空調装置２Ａは、図２に示す排気ダクトジョイント２９ａに排気ダクト５３が接続される。排気ダクト５３は、図示しない建物の外壁５４に取り付けた屋外グリル５３ａに接続され、浴室空調装置２Ａで浴室５１等から吸い込んだ空気を、排気ダクト５３を介して屋外に排気できる構成となっている。
【００６０】
浴室５１の天井パネルには、図３で説明した超音波振動子を利用した形態の加湿装置３Ａ−１または図４で説明したヒータを利用した形態の加湿装置３Ａ−２の本体が入る開口部が形成され、加湿装置３Ａは、フロントパネル３７が露出するようにして、天井裏から吊り下げる形態、あるいは天井パネルに固定する形態等で設置される。
【００６１】
浴室５１の天井に取り付けられた加湿装置３Ａは、図示しない上水管とつながる供給配管５２ａが、図３または図４で説明した給水機構３２ｓと接続され、浴室５１の排水口からの図示しない排水管とつながる排水配管５２ｂが、排水機構３２ｅと接続される。
【００６２】
そして、浴室空調装置２Ａと加湿装置３Ａは、浴室空調装置２Ａの副吸込ダクトジョイント２９ｂと加湿装置３Ａの排出ダクトジョイント３８ａがダクト４Ａで接続される。
【００６３】
浴室５１に隣接した洗面脱衣所５５には、加湿空調システム１Ａを操作する主操作部６が設置される。主操作部６は、浴室空調装置２Ａに備えられる図示しない制御基板と例えば有線で接続される。なお、加湿空調システム１Ａを浴室５１内でも操作できるように、副操作部を浴室５１内に設置しても良い。
【００６４】
＜第１の実施の形態の加湿暖房運転モードの動作例＞
次に、第１の実施の形態の加湿空調システム１Ａで実行される加湿暖房運転モードの一例について、各図を参照して説明する。ここで、加湿装置３Ａとしては、超音波振動子を利用した形態の加湿装置３Ａ−１を備えた例で説明する。
【００６５】
洗面脱衣所５５に設置されている主操作部６が操作され、加湿暖房運転モードが選択されると、浴室空調装置２Ａでは、ダンパ２５を図２（ａ）に示す循環位置とすると共に、ヒータ２２に通電して、ファン部２０を駆動する。
【００６６】
浴室空調装置２Ａは、ファンモータ２３ａによりファン２３が回転駆動されると、浴室５１の空気ＲＡが、フロントパネル２７の吸込グリル２７ａから主ファン吸込口２４ａに吸い込まれる。
【００６７】
ダンパ２５の位置が図２（ａ）に示す循環位置であると、主ファン吸込口２４ａから吹出口２６ａへの循環風路２１ａが形成されるので、吸込グリル２７ａから吸い込まれた空気ＲＡは、循環風路２１ａを通ってフロントパネル２７の吹出グリル２７ｂから吹き出される。
【００６８】
ヒータ２２は、循環風路２１ａの吹出口２６ａに配置されるので、ヒータ２２が通電されることで、循環風路２１ａを通る空気が温められて、温風が吹出グリル２７ｂから吹き出される。
【００６９】
また、ファン部２０が駆動されることで、副ファン吸込口２４ｂからも空気を吸い込む流れが発生し、副ファン吸込口２４ｂと連通した副吸込口２６ｃとダクト４Ａを介して接続されている加湿装置３Ａ−１では、フロントパネル３７の吸込グリル３７ａから浴室５１の空気ＲＡが吸い込まれる。
【００７０】
加湿暖房運転モードでは、加湿装置３Ａ−１は、超音波振動子３３Ａを駆動することで、水槽３２Ａに貯水された水Ｗが振動して微細化された水滴Ｍが、水槽３２Ａの上部の加湿風路３４へと拡散する。そして、吸込グリル３７ａから吸い込んだ浴室５１の空気ＲＡが加湿風路３４を通って加湿されて加湿空気ＷＡが生成され、加湿空気ＷＡは、ダクト４Ａを通って浴室空調装置２Ａの副ファン吸込口２４ｂから吸い込まれる。
【００７１】
浴室空調装置２Ａでは、ファン部２０において主ファン吸込口２４ａから吸い込んだ浴室５１の空気と、副ファン吸込口２４ｂから吸い込んだ加湿装置３Ａ−１で生成された加湿空気ＷＡとが混合し、浴室５１内の空気を循環させながら、浴室５１内に霧状の温湿風ＨＷＡが吹き出され、浴室５１が加湿暖房される。
【００７２】
このように、温風と加湿空気を混合させた温湿風ＨＷＡで浴室５１を暖房することで、温水によるミストの噴霧のみで浴室５１を暖房する場合と比較して、短時間で浴室５１の温度を上げることができる。
【００７３】
なお、本実施の形態の加湿空調システム１Ａでは、加湿装置３Ａ−１の水位センサ３２ｗの出力を監視し、水槽３２Ａ内の水が無くならないように、給水機構３２ｓで給水が行われる。
【００７４】
すなわち、水位センサ３２ｗの出力から、水槽３２Ａ内の水位が所定量まで下がったことを検知すると、図示しない制御手段は給水バルブ３２ｓｂを開き、給水口３２ｓｗから上水を水槽３２Ａに補給する。そして、水位センサ３２ｗの出力から、水槽３２Ａ内の水位が所定量まで上がったことを検知すると、給水バルブ３２ｓｂを閉じる。
【００７５】
なお、運転停止中のメンテナンス等で、水槽３２Ａ内の水を抜く必要がある場合は、排水バルブ３２ｅｂを開き、排水口３２ｅｗから水槽３２Ａ内の水を排水する。
【００７６】
次に、加湿装置３Ａとして、ヒータを利用した形態の加湿装置３Ａ−２を備えた第１の実施の形態の加湿空調システム１Ａで実行される加湿暖房運転モードの一例について、各図を参照して説明する。
【００７７】
洗面脱衣所５５に設置されている主操作部６が操作され、加湿暖房運転モードが選択されると、浴室空調装置２Ａでは、ダンパ２５を図２（ａ）に示す循環位置とすると共に、ヒータ２２に通電して、ファン部２０を駆動する。
【００７８】
浴室空調装置２Ａは、ファンモータ２３ａによりファン２３が回転駆動されると、浴室５１の空気ＲＡが、フロントパネル２７の吸込グリル２７ａから主ファン吸込口２４ａに吸い込まれる。
【００７９】
ダンパ２５の位置が図２（ａ）に示す循環位置であると、主ファン吸込口２４ａから吹出口２６ａへの循環風路２１ａが形成されるので、吸込グリル２７ａから吸い込まれた空気ＲＡは、循環風路２１ａを通ってフロントパネル２７の吹出グリル２７ｂから吹き出される。
【００８０】
ヒータ２２は、循環風路２１ａの吹出口２６ａに配置されるので、ヒータ２２が通電されることで、循環風路２１ａを通る空気が温められて、温風が吹出グリル２７ｂから吹き出される。
【００８１】
また、ファン部２０が駆動されることで、副ファン吸込口２４ｂからも空気を吸い込む流れが発生し、副ファン吸込口２４ｂと連通した副吸込口２６ｃとダクト４Ａを介して接続されている加湿装置３Ａ−２では、フロントパネル３７の吸込グリル３７ａから浴室５１の空気ＲＡが吸い込まれる。
【００８２】
加湿暖房運転モードでは、加湿装置３Ａ−２は、ヒータ３３Ｂを駆動することで、水槽３２Ｂに貯水された水Ｗが加熱されて水蒸気ＷＶが発生し、水槽３２Ｂの上部の加湿風路３４へと拡散する。そして、吸込グリル３７ａから吸い込んだ浴室５１の空気ＲＡが加湿風路３４を通って加湿されて加湿空気ＷＡが生成され、加湿空気ＷＡは、ダクト４Ａを通って浴室空調装置２Ａの副ファン吸込口２４ｂから吸い込まれる。
【００８３】
浴室空調装置２Ａでは、ファン部２０において主ファン吸込口２４ａから吸い込んだ浴室５１の空気と、副ファン吸込口２４ｂから吸い込んだ加湿装置３Ａ−２で生成された加湿空気ＷＡとが混合し、浴室５１内の空気を循環させながら、浴室５１内に霧状の温湿風ＨＷＡが吹き出され、浴室５１が加湿暖房される。
【００８４】
このように、温風と加湿空気を混合させた温湿風ＨＷＡで浴室５１を暖房することで、温水によるミストの噴霧のみで浴室５１を暖房する場合と比較して、短時間で浴室５１の温度を上げることができる。
【００８５】
なお、ヒータを利用した形態の加湿装置３Ａ−２を備えた加湿空調システム１Ａでも、加湿装置３Ａ−２の水位センサ３２ｗの出力を監視し、水槽３２Ｂ内の水が無くならないように、給水機構３２ｓで給水が行われる。
【００８６】
すなわち、水位センサ３２ｗの出力から、水槽３２Ｂ内の水位が所定量まで下がったことを検知すると、図示しない制御手段は給水バルブ３２ｓｂを開き、給水口３２ｓｗから上水を水槽３２Ｂに補給する。そして、水位センサ３２ｗの出力から、水槽３２Ｂ内の水位が所定量まで上がったことを検知すると、給水バルブ３２ｓｂを閉じる。
【００８７】
なお、運転停止中のメンテナンス等で、水槽３２Ｂ内の水を抜く必要がある場合は、排水バルブ３２ｅｂを開き、排水口３２ｅｗから水槽３２Ｂ内の水を排水する。
【００８８】
ここで、超音波振動子を利用した形態の加湿装置３Ａ−１またはヒータを利用した形態の加湿装置３Ａ−２を備えた加湿空調システム１Ａにおける上述した加湿暖房運転モードの動作例では、浴室空調装置２Ａによる温風の吹き出しと、加湿装置３Ａによる加湿空気の生成を同時に開始して、加湿暖房運転モードが実行されると、温湿風ＨＷＡが吹き出されるようにした。
【００８９】
これに対して、浴室空調装置２Ａによる温風の吹き出しを開始した後、温度検出センサ２８で浴室５１の温度を検出し、加湿空気の吹き出しに適した温度になると、加湿装置３Ａによる加湿空気の生成を開始して、温湿風ＨＷＡが吹き出されるようにしても良い。
【００９０】
また、ヒータを利用した形態の加湿装置３Ａ−２を備えた加湿空調システム１Ａでは、浴室空調装置２Ａによる温風の吹き出しを開始した後、温度検出センサ２８で浴室５１の温度を検出し、加湿空気の吹き出しに適した温度になると、ヒータ２２の駆動は停止して、浴室空調装置２Ａによる温風の吹き出しを中断すると共に、加湿装置３Ａ−２による加湿空気の生成を開始して、加湿空気ＷＡが吹き出されるようにしても良い。
【００９１】
このように、加湿装置３Ａ−２のヒータ３３Ｂが駆動されている間は、浴室空調装置２Ａのヒータ２２の駆動を停止することで、消費電力を抑えることができる。
【００９２】
次に、浴室空調装置２Ａによる他の運転モードの動作について説明する。浴室空調装置２Ａは、副吸込ダクトジョイント２９ｂに備えられた図示しないダンパを閉じて、ファンモータ２３ａによりファン２３が回転駆動されると、フロントパネル２７の吸込グリル２７ａから主ファン吸込口２４ａに空気ＲＡが吸い込まれる。
【００９３】
ダンパ２５の位置が図２（ａ）に示す循環位置であると、主ファン吸込口２４ａから吹出口２６ａへの循環風路２１ａが形成されるので、吸込グリル２７ａから吸い込まれた空気ＲＡは、循環風路２１ａを通ってフロントパネル２７の吹出グリル２７ｂから吹き出される。
【００９４】
ヒータ２２は、循環風路２１ａの吹出口２６ａに配置されるので、ヒータ２２が通電されることで、循環風路２１ａを通る空気が温められて、温風が吹出グリル２７ｂから吹き出す。
【００９５】
これにより、ダンパ２５を循環位置として、ファン部２０が駆動されると、ヒータ２２に通電した場合は、図１に示す浴室５１内の空気を循環させながら、浴室５１内に温風が吹き出されて、浴室５１が暖房される。
【００９６】
ダンパ２５の位置が図２（ｂ）に示す換気位置であると、主ファン吸込口２４ａから排気口２６ｂへの換気風路２１ｂが形成されるので、フロントパネル２７の吸込グリル２７ａから吸い込まれた空気は、換気風路２１ｂを通って排気口２６ｂから排気される。
【００９７】
これにより、ダンパ２５を換気位置として、ファン部２０が駆動されると、浴室５１内の湯気や湿気が排気されて、浴室５１が換気される。
【００９８】
ダンパ２５の位置が図２（ｃ）に示す分流位置であると、主ファン吸込口２４ａから吹出口２６ａへの循環風路２１ａと、主ファン吸込口２４ａから排気口２６ｂへの換気風路２１ｂの双方が形成されるので、フロントパネル２７の吸込グリル２７ａから吸い込まれた空気は、一部は循環風路２１ａを通って吹出グリル２７ｂから浴室５１内に吹き出される。
【００９９】
また、吸込グリル２７ａから吸い込まれた空気の残部は、換気風路２１ｂを通って排気口２６ｂから排気される。
【０１００】
これにより、ダンパ２５を分流位置として、ファン部２０が駆動されると、ヒータ２２に通電した場合は、浴室５１内の空気を循環させて浴室５１内に温風を吹き出しながら、浴室５１内の湯気や湿気が排気されて、浴室５１や洗濯物等が乾燥される。なお、ヒータ２２が非通電の場合は、浴室５１内の空気を循環させながら、浴室５１内の湯気や湿気が排気される。
【０１０１】
＜第１の実施の形態の加湿空調システムの作用効果例＞
第１の実施の形態の加湿空調システム１Ａでは、加湿装置３Ａは浴室空調装置２Ａと独立した装置で、加湿空気の送風は、浴室空調装置２Ａで吸い込まれる空気の流れを利用することで、加湿装置３Ａには送風のためのファン部を非搭載にできる。
【０１０２】
これにより、加湿装置３Ａは、ファンとファンモータを省略することにより低コスト化が可能であると共に、部品点数を少なくできることから、小型化が可能である。また、加湿装置３Ａのフロントパネル３７は吹出グリルが不要で、吸込グリル３７ａを備えれば良いので、浴室５１に露出するフロントパネル３７の小型化が可能で、見栄えが良くなる。
【０１０３】
更に、加湿手段として超音波振動子を備えた加湿装置３Ａ−１、またはヒータを備えた加湿装置３Ａ−２を使用することで、微細化されて拡散した水滴、または水蒸気により空気が加湿され、霧状の加湿空気ＷＡが混合した温湿風ＨＷＡが浴室５１に吹き出されるので、水滴が直接噴き出されるノズル式のミスト噴霧発生装置と比較して、入浴者が直接水滴を浴びることがなく、加湿暖房に伴う発汗効果を実感できる。
【０１０４】
また、加湿手段として超音波振動子を備えた加湿装置３Ａ−１では、ヒータが不要であるので、消費電力を抑えることができる。これに対して、ヒータを備えた加湿装置３Ａ−２では、水を加熱するので、雑菌の繁殖を抑えることができる。
【０１０５】
＜第２の実施の形態の加湿空調システムの構成例＞
図５は、第２の実施の形態の加湿空調システムの一例を示す構成図である。第２の実施の形態の加湿空調システム１Ｂは、浴室５１の空気を循環させて、温風または送風を吹き出す浴室空調装置２Ｂと、加湿空気ＷＡを生成する加湿装置３Ｂを備え、浴室空調装置２Ｂと加湿装置３Ｂが浴室５１の天井に設置される。
【０１０６】
浴室空調装置２Ｂは、加湿装置３Ｂがダクト４Ｂにより接続され、浴室空調装置２Ｂで浴室５１から吸い込んだ空気と、加湿装置３Ｂから吸い込んだ加湿空気ＷＡが混合されて、温湿風ＨＷＡが浴室５１に吹き出され、浴室５１の加湿暖房が行われる。
【０１０７】
そして、浴室空調装置２Ｂと加湿装置３Ｂは、フロントパネル３９が一体に構成される。
【０１０８】
なお、浴室空調装置２Ｂの構成は、図２で説明した浴室空調装置２Ａと同じで良く、また加湿装置３Ｂの構成は、図３で説明した超音波振動子を利用した形態の加湿装置３Ａ−１または図４で説明したヒータを利用した形態の加湿装置３Ａ−２と同じで良い。
【０１０９】
フロントパネル３９は、図２で説明した主ファン吸込口２４ａとつながる吸込グリル３９ａを備えると共に、吹出口２６ａとつながる吹出グリル３９ｂを備える。また、図３または図４で説明した加湿風路３４とつながる吸込グリル３９ｃを備える。
【０１１０】
＜第２の実施の形態の加湿空調システムの設置例＞
次に、浴室空調装置２Ｂと加湿装置３Ｂを備えた加湿空調システム１Ｂの設置例について、図５を参照に説明する。
【０１１１】
浴槽５１ａ等を備えた浴室５１の天井パネルの所定の位置には、浴室空調装置２Ｂの本体及び加湿装置３Ｂの本体が入る開口部が形成され、浴室空調装置２Ｂは、天井裏から吊り下げる形態、あるいは天井パネルに固定する形態等で設置される。
【０１１２】
また、加湿装置３Ｂは、天井裏から吊り下げる形態、あるいは天井パネルに固定する形態等で設置される。
【０１１３】
そして、浴室５１の天井に取り付けられた浴室空調装置２Ｂと加湿装置３Ｂは、図２で説明した副吸込口２６ｃと図３または図４で説明した排出口３８がダクト４Ｂで接続されると共に、下面にフロントパネル３９が取り付けられる。
【０１１４】
また、浴室５１の天井に取り付けられた浴室空調装置２Ｂは、図２で説明した排気ダクトジョイント２９ａに排気ダクト５３が接続され、排気ダクト５３は、図示しない建物の外壁５４に取り付けた屋外グリル５３ａに接続される。
【０１１５】
更に、浴室５１の天井に取り付けられた加湿装置３Ｂは、図示しない上水管とつながる供給配管５２ａが、図３または図４で説明した給水機構３２ｓと接続され、浴室５１の排水口からの図示しない排水管とつながる排水配管５２ｂが、排水機構３２ｅと接続される。
【０１１６】
浴室５１に隣接した洗面脱衣所５５には、加湿空調システム１Ｂを操作する主操作部６が設置される。主操作部６は、浴室空調装置２Ｂに備えられる図示しない制御基板と例えば有線で接続される。なお、加湿空調システム１Ｂを浴室５１内でも操作できるように、副操作部を浴室５１内に設置しても良い。
【０１１７】
＜第２の実施の形態の加湿空調システムの作用効果例＞
第２の実施の形態の加湿空調システム１Ｂで実行される加湿暖房運転モードの動作例については、第１の実施の形態の加湿空調システム１Ａにおける動作と同じである。
【０１１８】
第２の実施の形態の加湿空調システム１Ｂでも、加湿装置３Ｂは浴室空調装置２Ｂと独立した装置で、第１の実施の形態の加湿空調システム１Ａと同様の効果が得られる。更に、フロントパネル３９を浴室空調装置２Ｂと加湿装置３Ｂで一体にしたので、浴室５１の天井パネルに露出するフロントパネルの数を減らすことができ、見栄えが良くなる。また、浴室空調装置２Ｂと加湿装置３Ｂが隣接して配置されるので、天井パネルに形成する開口を１箇所にすることができ、施工が容易になる。
【０１１９】
＜第３の実施の形態の加湿空調システムの構成例＞
図６（ａ）及び図６（ｂ）は、第３の実施の形態の加湿空調システムの一例を示す構成図である。第３の実施の形態の加湿空調システム１Ｃは、浴室５１の空気を循環させて、温風または送風を吹き出す浴室空調装置２Ｃと、浴室空調装置２Ｃにおける空気の吸込口として機能すると共に、加湿空気ＷＡを生成する加湿装置３Ａを備え、浴室空調装置２Ｃと加湿装置３Ａが浴室５１の天井に設置される。
【０１２０】
浴室空調装置２Ｃは、加湿装置３Ａがダクト４Ａにより接続され、浴室空調装置２Ｃで加湿装置３Ａから浴室５１の空気が吸い込まれ、加湿装置３Ａで加湿空気ＷＡが生成され、浴室空調装置２Ｃで加湿装置３Ａから吸い込んだ加湿空気ＷＡが加熱されて、温湿風ＨＷＡが浴室５１に吹き出され、浴室５１の加湿暖房が行われる。
【０１２１】
なお、加湿装置３Ａの構成は、図３で説明した超音波振動子を利用した形態の加湿装置３Ａ−１または図４で説明したヒータを利用した形態の加湿装置３Ａ−２と同じで良い。
【０１２２】
ここで、加湿空調システム１Ｃに組み込まれる加湿装置３Ａは、フロントパネル３７の吸込グリル３７ａの内側等に温度検出センサ２８を備え、吸込グリル３７ａから吸い込まれる空気の温度を検出することで、浴室５１の温度を検出可能となっている。
【０１２３】
図７は、第３の実施の形態の加湿空調システム１Ｃにおける浴室空調装置の一例を示す構成図であり、次に、加湿空調システム１Ｃを構成する浴室空調装置２Ｃの構成について説明する。
【０１２４】
浴室空調装置２Ｃは空調装置の一例で、浴室暖房換気乾燥装置等と称され、図６に示す浴室５１から空気ＲＡを吸い込んで吹き出すファン部２０と、ファン部２０から吹き出される空気を浴室５１に吹き出すか、排気するかを切り替える風路切換部２１と、浴室５１へ吹き出す空気を加熱するヒータ２２とを備える。
【０１２５】
ファン部２０は送風手段の一例で、回転駆動される多翼のファン２３と、ファン２３を回転駆動するファンモータ２３ａと、風路を形成するファンケース２４を備える。
【０１２６】
浴室空調装置２Ａは、ファン２３の軸方向に沿ったファンケース２４の下面にファン吸込口２４ａを備え、ファンケース２４は、ファン２３が回転駆動されることでファン吸込口２４ａから吸い込んだ空気を、ファン２３の接線方向に吹き出す風路を形成する。
【０１２７】
風路切換部２１は、風路を切り換えるダンパ２５を備える。ダンパ２５は、図示しないダンパモータの駆動力がカム２５ａを介して伝達され、軸２５ｂを支点に回転して開閉動作を行う。
【０１２８】
浴室空調装置２Ｃは、風路切換部２１の下方に吹出口２６ａを備えると共に、風路切換部２１の側方に排気口２６ｂを備える。また、浴室空調装置２Ｃは、ファン吸込口２４ａと連通する吸込口２６ｄを、排気口２６ｂと独立して一の側面に備える。
【０１２９】
浴室空調装置２Ｃは、ダンパ２５を図７（ａ）に示す循環位置とすると、排気口２６ｂへの風路が遮断され、ファン吸込口２４ａから吹出口２６ａへ連通した循環風路２１ａが形成される。
【０１３０】
また、ダンパ２５を図７（ｂ）に示す換気位置とすると、吹出口２６ａへの風路が遮断され、ファン吸込口２４ａから排気口２６ｂへ連通した換気風路２１ｂが形成される。
【０１３１】
更に、ダンパ２５を図７（ｃ）に示す分流位置とすると、ファン吸込口２４ａから吹出口２６ａへ連通した循環風路２１ａと、ファン吸込口２４ａから排気口２６ｂへ連通した換気風路２１ｂの双方が形成される。
【０１３２】
ヒータ２２は加熱手段の一例で、吹出口２６ａにＰＴＣヒータ等の電気ヒータを備えて構成される。なお、吹出口２６ａに、風向を切り換える電動の吹出ルーバを備える構成としても良い。
【０１３３】
浴室空調装置２Ｃは、下面にフロントパネル２７を備える。フロントパネル２７は、浴室空調装置２Ｃに着脱できるように構成され、吹出口２６ａとつながり室内吹出口を構成する吹出グリル２７ｂを備える。ここで、浴室空調装置２Ｃは、図６に示すように、ダクト４Ａを介して接続された加湿装置３Ａに室内吸込口としての機能を持たせることで、フロントパネル２７には吸込グリルが形成されない。
【０１３４】
また、浴室空調装置２Ｃは、排気口２６ｂに排気ダクトジョイント２９ａを備えると共に、吸込口２６ｄに吸込ダクトジョイント２９ｃを備える。
【０１３５】
＜第３の実施の形態の加湿空調システムの設置例＞
次に、上述した浴室空調装置２Ｃと加湿装置３Ａを備えた加湿空調システム１Ｃの設置例について、図６等を参照に説明する。
【０１３６】
浴槽５１ａ等を備えた浴室５１の天井パネルの所定の位置には、図７で説明した浴室空調装置２Ｃの本体が入る開口部が形成され、浴室空調装置２Ｃは、フロントパネル２７が露出するようにして、天井裏から吊り下げる形態、あるいは天井パネルに固定する形態等で設置される。
【０１３７】
浴室５１の天井に取り付けられた浴室空調装置２Ｃは、図６に示す排気ダクトジョイント２９ａに排気ダクト５３が接続される。排気ダクト５３は、図示しない建物の外壁５４に取り付けた屋外グリル５３ａに接続され、浴室空調装置２Ｃで浴室５１等から吸い込んだ空気を、排気ダクト５３を介して屋外に排気できる構成となっている。
【０１３８】
浴室５１の天井パネルには、図３で説明した超音波振動子を利用した形態の加湿装置３Ａ−１または図４で説明したヒータを利用した形態の加湿装置３Ａ−２の本体が入る開口部が形成され、加湿装置３Ａは、フロントパネル３７が露出するようにして、天井裏から吊り下げる形態、あるいは天井パネルに固定する形態等で設置される。
【０１３９】
浴室５１の天井に取り付けられた加湿装置３Ａは、図示しない上水管とつながる供給配管５２ａが、図３または図４で説明した給水機構３２ｓと接続され、浴室５１の排水口からの図示しない排水管とつながる排水配管５２ｂが、排水機構３２ｅと接続される。
【０１４０】
そして、浴室空調装置２Ｃと加湿装置３Ａは、浴室空調装置２Ｃの吸込ダクトジョイント２９ｃと加湿装置３Ａの排出ダクトジョイント３８ａがダクト４Ａで接続される。
【０１４１】
浴室５１に隣接した洗面脱衣所５５には、加湿空調システム１Ｃを操作する主操作部６が設置される。主操作部６は、浴室空調装置２Ｃに備えられる図示しない制御基板と例えば有線で接続される。なお、加湿空調システム１Ｃを浴室５１内でも操作できるように、副操作部を浴室５１内に設置しても良い。
【０１４２】
ここで、浴室空調装置３Ｃは、フロントパネル２７に吸込グリルを備えない構成である。このため、図６（ｂ）に示すように、フロントパネル２７を吹出グリル２７ｂに合わせた形状とすると共に、浴室空調装置３Ｃの本体の一部を天井裏に埋め込む形態として、フロントパネル２７の小型化を図ることも可能である。
【０１４３】
＜第３の実施の形態の加湿暖房運転モードの動作例＞
次に、第３の実施の形態の加湿空調システム１Ｃで実行される加湿暖房運転モードの一例について、各図を参照して説明する。ここで、加湿装置３Ａとしては、超音波振動子を利用した形態の加湿装置３Ａ−１を備えた例で説明する。
【０１４４】
洗面脱衣所５５に設置されている主操作部６が操作され、加湿暖房運転モードが選択されると、浴室空調装置２Ｃでは、ダンパ２５を図７（ａ）に示す循環位置とすると共に、ヒータ２２に通電して、ファン部２０を駆動する。
【０１４５】
浴室空調装置２Ｃは、ファンモータ２３ａによりファン２３が回転駆動されると、ファン吸込口２４ａから空気を吸い込む流れが発生し、ファン吸込口２４ａと連通した吸込口２６ｄとダクト４Ａを介して接続されている加湿装置３Ａ−１では、フロントパネル３７の吸込グリル３７ａから浴室５１の空気ＲＡが吸い込まれる。
【０１４６】
ダンパ２５の位置が図７（ａ）に示す循環位置であると、ファン吸込口２４ａから吹出口２６ａへの循環風路２１ａが形成されるので、加湿装置３Ａ−１の吸込グリル３７ａから吸い込まれた空気ＲＡは、ダクト４Ａから循環風路２１ａを通ってフロントパネル２７の吹出グリル２７ｂから吹き出される。
【０１４７】
ヒータ２２は、循環風路２１ａの吹出口２６ａに配置されるので、ヒータ２２が通電されることで、循環風路２１ａを通る空気が温められて、温風が吹出グリル２７ｂから吹き出される。
【０１４８】
ここで、加湿暖房運転モードでは、加湿装置３Ａ−１は、超音波振動子３３Ａを駆動することで、水槽３２Ａに貯水された水Ｗが振動して微細化された水滴Ｍが、水槽３２Ａの上部の加湿風路３４へと拡散する。そして、吸込グリル３７ａから吸い込んだ浴室５１の空気ＲＡが加湿風路３４を通って加湿されて加湿空気ＷＡが生成され、加湿空気ＷＡは、ダクト４Ａを通って浴室空調装置２Ａのファン吸込口２４ａから吸い込まれる。
【０１４９】
これにより、浴室空調装置２Ｃでは、ファン吸込口２４ａから吸い込んだ加湿装置３Ａ−１で生成された加湿空気ＷＡがヒータ２２で加熱され、浴室５１内の空気を循環させながら、浴室５１内に霧状の温湿風ＨＷＡが吹き出され、浴室５１が加湿暖房される。
【０１５０】
このように、加湿空気を加熱した温湿風ＨＷＡで浴室５１を暖房することで、温水によるミストの噴霧のみで浴室５１を暖房する場合と比較して、短時間で浴室５１の温度を上げることができる。
【０１５１】
なお、本実施の形態の加湿空調システム１Ｃでも、上述したように、加湿装置３Ａ−１の水位センサ３２ｗの出力を監視し、水槽３２Ａ内の水が無くならないように、給水機構３２ｓで給水が行われる。
【０１５２】
次に、加湿装置３Ａとして、ヒータを利用した形態の加湿装置３Ａ−２を備えた第３の実施の形態の加湿空調システム１Ｃで実行される加湿暖房運転モードの一例について、各図を参照して説明する。
【０１５３】
洗面脱衣所５５に設置されている主操作部６が操作され、加湿暖房運転モードが選択されると、浴室空調装置２Ｃでは、ダンパ２５を図７（ａ）に示す循環位置とすると共に、ヒータ２２に通電して、ファン部２０を駆動する。
【０１５４】
浴室空調装置２Ｃは、ファンモータ２３ａによりファン２３が回転駆動されると、ファン吸込口２４ａから空気を吸い込む流れが発生し、ファン吸込口２４ａと連通した吸込口２６ｄとダクト４Ａを介して接続されている加湿装置３Ａ−１では、フロントパネル３７の吸込グリル３７ａから浴室５１の空気ＲＡが吸い込まれる。
【０１５５】
ダンパ２５の位置が図７（ａ）に示す循環位置であると、ファン吸込口２４ａから吹出口２６ａへの循環風路２１ａが形成されるので、加湿装置３Ａ−１の吸込グリル３７ａから吸い込まれた空気ＲＡは、ダクト４Ａから循環風路２１ａを通ってフロントパネル２７の吹出グリル２７ｂから吹き出される。
【０１５６】
ヒータ２２は、循環風路２１ａの吹出口２６ａに配置されるので、ヒータ２２が通電されることで、循環風路２１ａを通る空気が温められて、温風が吹出グリル２７ｂから吹き出される。
【０１５７】
ここで、加湿暖房運転モードでは、加湿装置３Ａ−２は、ヒータ３３Ｂを駆動することで、水槽３２Ｂに貯水された水Ｗが加熱されて水蒸気ＷＶが発生し、水槽３２Ｂの上部の加湿風路３４へと拡散する。そして、吸込グリル３７ａから吸い込んだ浴室５１の空気ＲＡが加湿風路３４を通って加湿されて加湿空気ＷＡが生成され、加湿空気ＷＡは、ダクト４Ａを通って浴室空調装置２Ａのファン吸込口２４ａから吸い込まれる。
【０１５８】
これにより、浴室空調装置２Ｃでは、ファン吸込口２４ａから吸い込んだ加湿装置３Ａ−２で生成された加湿空気ＷＡがヒータ２２で加熱され、浴室５１内の空気を循環させながら、浴室５１内に霧状の温湿風ＨＷＡが吹き出され、浴室５１が加湿暖房される。
【０１５９】
このように、加湿空気を加熱した温湿風ＨＷＡで浴室５１を暖房することで、温水によるミストの噴霧のみで浴室５１を暖房する場合と比較して、短時間で浴室５１の温度を上げることができる。
【０１６０】
なお、ヒータを利用した形態の加湿装置３Ａ−２を備えた加湿空調システム１Ｃでも、上述したように、加湿装置３Ａ−２の水位センサ３２ｗの出力を監視し、水槽３２Ｂ内の水が無くならないように、給水機構３２ｓで給水が行われる。
【０１６１】
ここで、超音波振動子を利用した形態の加湿装置３Ａ−１またはヒータを利用した形態の加湿装置３Ａ−２を備えた加湿空調システム１Ｃにおける上述した加湿暖房運転モードの動作例では、浴室空調装置２Ｃによる温風の吹き出しと、加湿装置３Ａによる加湿空気の生成を同時に開始して、加湿暖房運転モードが実行されると、温湿風ＨＷＡが吹き出されるようにした。
【０１６２】
これに対して、加湿装置３Ａで加湿空気の生成を行わずに、浴室空調装置２Ｃによる温風の吹き出しを開始した後、温度検出センサ２８で浴室５１の温度を検出し、加湿空気の吹き出しに適した温度になると、加湿装置３Ａによる加湿空気の生成を開始して、温湿風ＨＷＡが吹き出されるようにしても良い。
【０１６３】
また、ヒータを利用した形態の加湿装置３Ａ−２を備えた加湿空調システム１Ｃでは、加湿装置３Ａ−２のヒータ３３Ｂを駆動せずに、浴室空調装置２Ｃのヒータ２２を駆動して温風の吹き出しを開始した後、温度検出センサ２８で浴室５１の温度を検出し、加湿空気の吹き出しに適した温度になると、ヒータ２２の駆動は停止して、浴室空調装置２Ｃによる温風の吹き出しを中断すると共に、加湿装置３Ａ−２のヒータ３３Ｂを駆動して加湿空気の生成を開始して、加湿空気ＷＡが吹き出されるようにしても良い。
【０１６４】
このように、加湿装置３Ａ−２のヒータ３３Ｂが駆動されている間は、浴室空調装置２Ｃのヒータ２２の駆動を停止することで、消費電力を抑えることができる。
【０１６５】
次に、浴室空調装置２Ｃによる他の運転モードの動作について説明する。浴室空調装置２Ｃは、ファンモータ２３ａによりファン２３が回転駆動されると、ファン吸込口２４ａから空気を吸い込む流れが発生し、ファン吸込口２４ａと連通した吸込口２６ｄとダクト４Ａを介して接続されている加湿装置３Ａでは、フロントパネル３７の吸込グリル３７ａから浴室５１の空気ＲＡが吸い込まれる。
【０１６６】
ダンパ２５の位置が図７（ａ）に示す循環位置であると、ファン吸込口２４ａから吹出口２６ａへの循環風路２１ａが形成されるので、加湿装置３Ａの吸込グリル３７ａから吸い込まれた空気ＲＡは、ダクト４Ａから循環風路２１ａを通ってフロントパネル２７の吹出グリル２７ｂから吹き出される。
【０１６７】
ヒータ２２は、循環風路２１ａの吹出口２６ａに配置されるので、ヒータ２２が通電されることで、循環風路２１ａを通る空気が温められて、温風が吹出グリル２７ｂから吹き出す。
【０１６８】
これにより、ダンパ２５を循環位置として、ファン部２０が駆動されると、ヒータ２２に通電した場合は、図６に示す浴室５１内の空気を循環させながら、浴室５１内に温風が吹き出されて、浴室５１が暖房される。
【０１６９】
ダンパ２５の位置が図７（ｂ）に示す換気位置であると、ファン吸込口２４ａから排気口２６ｂへの換気風路２１ｂが形成されるので、加湿装置３Ａの吸込グリル３７ａから吸い込まれた空気ＲＡは、ダクト４Ａから換気風路２１ｂを通って排気口２６ｂから排気される。
【０１７０】
これにより、ダンパ２５を換気位置として、ファン部２０が駆動されると、浴室５１内の湯気や湿気が排気されて、浴室５１が換気される。
【０１７１】
ダンパ２５の位置が図７（ｃ）に示す分流位置であると、ファン吸込口２４ａから吹出口２６ａへの循環風路２１ａと、ファン吸込口２４ａから排気口２６ｂへの換気風路２１ｂの双方が形成されるので、加湿装置３Ａの吸込グリル３７ａから吸い込まれた空気ＲＡは、一部はダクト４Ａから循環風路２１ａを通って吹出グリル２７ｂから浴室５１内に吹き出される。
【０１７２】
また、加湿装置３Ａの吸込グリル３７ａから吸い込まれた空気ＲＡの残部は、ダクト４Ａから換気風路２１ｂを通って排気口２６ｂから排気される。
【０１７３】
これにより、ダンパ２５を分流位置として、ファン部２０が駆動されると、ヒータ２２に通電した場合は、浴室５１内の空気を循環させて浴室５１内に温風を吹き出しながら、浴室５１内の湯気や湿気が排気されて、浴室５１や洗濯物等が乾燥される。なお、ヒータ２２が非通電の場合は、浴室５１内の空気を循環させながら、浴室５１内の湯気や湿気が排気される。
【０１７４】
＜第３の実施の形態の加湿空調システムの作用効果例＞
第３の実施の形態の加湿空調システム１Ｃでも、加湿装置３Ａは浴室空調装置２Ｃと独立した装置で、第１の実施の形態の加湿空調システム１Ａと同様の効果が得られる。
【０１７５】
更に、加湿装置３Ａを室内吸込口として機能させることで、浴室空調装置２Ｃのフロントパネル２７に吸込グリルを備えない構成とすることで、フロントパネル２７のデザインの自由度が向上し、見栄えを良くすることができる。
【０１７６】
＜第４の実施の形態の加湿空調システムの構成例＞
図８は、第４の実施の形態の加湿空調システムの一例を示す構成図である。第４の実施の形態の加湿空調システム１Ｄは、浴室５１の空気を循環させて、温風または送風を吹き出す浴室空調装置２Ｄと、加湿空気ＷＡを生成する加湿装置３Ｂを備え、浴室空調装置２Ｄと加湿装置３Ｂが浴室５１の天井に設置される。
【０１７７】
浴室空調装置２Ｄは、加湿装置３Ｂがダクト４Ｂにより接続され、浴室空調装置２Ｄで加湿装置３Ｂから浴室５１の空気が吸い込まれ、加湿装置３Ｂで加湿空気ＷＡが生成され、浴室空調装置２Ｄで加湿装置３Ｂから吸い込んだ加湿空気ＷＡが加熱されて、温湿風ＨＷＡが浴室５１に吹き出され、浴室５１の加湿暖房が行われる。
【０１７８】
そして、浴室空調装置２Ｄと加湿装置３Ｂは、フロントパネル３９が一体に構成される。
【０１７９】
なお、浴室空調装置２Ｄの構成は、図７で説明した浴室空調装置２Ｃと同じで良く、また加湿装置３Ｂの構成は、図３で説明した超音波振動子を利用した形態の加湿装置３Ａ−１または図４で説明したヒータを利用した形態の加湿装置３Ａ−２と同じで良い。
【０１８０】
フロントパネル３９は、図７で説明した吹出口２６ａとつながる吹出グリル３９ｂを備えると共に、図３または図４で説明した加湿風路３４とつながる吸込グリル３９ｃを備える。ここで、浴室空調装置２Ｄは、ダクト４Ｂを介して接続された加湿装置３Ｂに室内吸込口としての機能を持たせることで、フロントパネル３９には、浴室空調装置２Ｄに対応した吸込グリルが形成されない。
【０１８１】
また、加湿空調システム１Ｄに組み込まれる加湿装置３Ｂは、フロントパネル３９の吸込グリル３９ｃの内側等に温度検出センサ２８を備え、吸込グリル３９ｃから吸い込まれる空気の温度を検出することで、浴室５１の温度を検出可能となっている。
【０１８２】
＜第４の実施の形態の加湿空調システムの設置例＞
次に、浴室空調装置２Ｄと加湿装置３Ｂを備えた加湿空調システム１Ｄの設置例について、図８を参照に説明する。
【０１８３】
浴槽５１ａ等を備えた浴室５１の天井パネルの所定の位置には、浴室空調装置２Ｄの本体及び加湿装置３Ｂの本体が入る開口部が形成され、浴室空調装置２Ｄは、天井裏から吊り下げる形態、あるいは天井パネルに固定する形態等で設置される。
【０１８４】
また、加湿装置３Ｂは、天井裏から吊り下げる形態、あるいは天井パネルに固定する形態等で設置される。
【０１８５】
そして、浴室５１の天井に取り付けられた浴室空調装置２Ｄと加湿装置３Ｂは、図７で説明した吸込口２６ｄと図３または図４で説明した排出口３８がダクト４Ｂで接続されると共に、下面にフロントパネル３９が取り付けられる。
【０１８６】
また、浴室５１の天井に取り付けられた浴室空調装置２Ｄは、図７で説明した排気ダクトジョイント２９ａに排気ダクト５３が接続され、排気ダクト５３は、図示しない建物の外壁５４に取り付けた屋外グリル５３ａに接続される。
【０１８７】
更に、浴室５１の天井に取り付けられた加湿装置３Ｂは、図示しない上水管とつながる供給配管５２ａが、図３または図４で説明した給水機構３２ｓと接続され、浴室５１の排水口からの図示しない排水管とつながる排水配管５２ｂが、排水機構３２ｅと接続される。
【０１８８】
浴室５１に隣接した洗面脱衣所５５には、加湿空調システム１Ｄを操作する主操作部６が設置される。主操作部６は、浴室空調装置２Ｄに備えられる図示しない制御基板と例えば有線で接続される。なお、加湿空調システム１Ｄを浴室５１内でも操作できるように、副操作部を浴室５１内に設置しても良い。
【０１８９】
＜第４の実施の形態の加湿空調システムの作用効果例＞
第４の実施の形態の加湿空調システム１Ｄで実行される加湿暖房運転モードの動作例については、第３の実施の形態の加湿空調システム１Ｃにおける動作と同じである。
【０１９０】
第４の実施の形態の加湿空調システム１Ｄでも、加湿装置３Ｂは浴室空調装置２Ｄと独立した装置で、第３の実施の形態の加湿空調システム１Ｃと同様の効果が得られる。
【０１９１】
更に、フロントパネル３９を浴室空調装置２Ｄと加湿装置３Ｂで一体にしたので、浴室５１の天井パネルに露出するフロントパネルの数を減らすことができ、見栄えが良くなる。また、加湿装置３Ｂを室内吸込口として機能させることで、フロントパネル３９に浴室空調装置２Ｄに対応した吸込グリルを備えない構成とすることができ、吸込グリルの数が減るので、見栄えが良くなる。
【０１９２】
更に、浴室空調装置２Ｄと加湿装置３Ｂが隣接して配置されるので、天井パネルに形成する開口を１箇所にすることができ、施工が容易になる。
【０１９３】
＜第５の実施の形態の加湿空調システムの構成例＞
図９は、第５の実施の形態の加湿空調システムの一例を示す構成図である。第５の実施の形態の加湿空調システム１Ｅは、浴室５１の空気を循環させて、温風または送風を吹き出す浴室空調装置２Ｅと、加湿空気ＷＡを生成する加湿装置３Ｃを備え、浴室空調装置２Ｅと加湿装置３Ｃが浴室５１の天井に設置される。
【０１９４】
浴室空調装置２Ｅは、加湿装置３Ｃがダクト４Ｃにより接続され、浴室空調装置２Ｅで吹き出す空気の一部が加湿装置３Ｃに送られて、加湿装置３Ｃから加湿空気ＷＡが吹き出されると共に、浴室空調装置２Ｅから温風ＨＡが吹き出され、浴室５１の加湿暖房が行われる。
【０１９５】
図１０は、第５の実施の形態の加湿空調システム１Ｅにおける浴室空調装置の一例を示す構成図であり、次に、加湿空調システム１Ｅを構成する浴室空調装置２Ｅの構成について説明する。
【０１９６】
浴室空調装置２Ｅは空調装置の一例で、浴室暖房換気乾燥装置等と称され、図９に示す浴室５１から空気ＲＡを吸い込んで吹き出すファン部２０と、ファン部２０から吹き出される空気を浴室５１に吹き出すか、排気または加湿装置３Ｃに供給するかを切り替える風路切換部２１と、浴室５１へ吹き出す空気を加熱するヒータ２２とを備える。
【０１９７】
ファン部２０は送風手段の一例で、回転駆動される多翼のファン２３と、ファン２３を回転駆動するファンモータ２３ａと、風路を形成するファンケース２４を備える。
【０１９８】
浴室空調装置２Ｅは、ファン２３の軸方向に沿ったファンケース２４の下面にファン吸込口２４ａを備え、ファンケース２４は、ファン２３が回転駆動されることでファン吸込口２４から吸い込んだ空気を、ファン２３の接線方向に吹き出す風路を形成する。
【０１９９】
風路切換部２１は、風路を切り換えるダンパ２５を備える。ダンパ２５は、図示しないダンパモータの駆動力がカム２５ａを介して伝達され、軸２５ｂを支点に回転して開閉動作を行う。
【０２００】
浴室空調装置２Ｅは、風路切換部２１の下方に吹出口２６ａを備えると共に、風路切換部２１の側方に外部吹出口を構成する排気口２６ｂを備え、ダンパ２５を図１０（ａ）に示す循環位置とすると、排気口２６ｂへの風路が遮断され、ファン吸込口２４ａから吹出口２６ａへ連通した循環風路２１ａが形成される。
【０２０１】
また、ダンパ２５を図１０（ｂ）に示す換気位置とすると、吹出口２６ａへの風路が遮断され、ファン吸込口２４ａから排気口２６ｂへ連通した換気風路２１ｂが形成される。
【０２０２】
更に、ダンパ２５を図１０（ｃ）に示す分流位置とすると、ファン吸込口２４ａから吹出口２６ａへ連通した循環風路２１ａと、ファン吸込口２４ａから排気口２６ｂへ連通した換気風路２１ｂの双方が形成される。
【０２０３】
ヒータ２２は加熱手段の一例で、吹出口２６ａにＰＴＣヒータ等の電気ヒータを備えて構成される。なお、吹出口２６ａに、風向を切り換える電動の吹出ルーバを備える構成としても良い。
【０２０４】
浴室空調装置２Ｅは、下面にフロントパネル２７を備える。フロントパネル２７は、浴室空調装置２Ｅに着脱できるように構成され、ファン吸込口２４ａとつながり室内吸込口を構成する吸込グリル２７ａを備えると共に、吹出口２６ａとつながり室内吹出口を構成する吹出グリル２７ｂを備える。また、フロントパネル２７は、吸込グリル２７ａの裏側に図示しないフィルタが交換可能に取り付けられる。
【０２０５】
また、浴室空調装置２Ｅは、ファン吸込口２４ａに温度検出センサ２８が備えられ、フロントパネル２７の吸込グリル２７ａからファン吸込口２４ａに吸い込まれる空気の温度を検出することで、浴室５１の温度を検出可能となっている。
【０２０６】
更に、浴室空調装置２Ｅは、排気口２６ｂに排気ダクトジョイント２９ａを備える。
【０２０７】
図１１は、第５の実施の形態の加湿空調システム１Ｅにおける加湿装置の第１の例を示す構成図であり、次に、加湿空調システム１Ｅを構成する加湿装置３Ｃ−１の構成について説明する。
【０２０８】
第３の実施の形態における第１の例の加湿装置３Ｃ−１は、超音波振動子を利用した形態の加湿装置で、微細化した水滴Ｍを発生させて霧状の加湿空気ＷＡを生成する加湿部３０Ａと、浴室空調装置２Ｅから供給された空気を浴室５１に吹き出すか、排気するかを切り替える風路切換部３１とを備える。
【０２０９】
加湿部３０Ａは加湿手段の一例で、水Ｗを貯める水槽３２Ａと、水槽３２Ａに貯水された水Ｗを振動させて微細化した水滴Ｍを発生させる超音波振動子３３Ａと、微細化されて拡散された水滴Ｍに、空気を混合させて加湿し、加湿空気ＷＡを生成する加湿風路３４を備える。また、加湿部３０Ａは、水槽３２Ａに給水を行う給水機構３２ｓと、水槽３２Ａの排水を行う排水機構３２ｅと、水槽３２Ａ内の水位を検出する水位センサ３２ｗを備える。
【０２１０】
水槽３２Ａは、上面が開口して加湿風路３４に露出すると共に、底面に超音波振動子３３Ａを備え、水槽３２Ａに貯水された水Ｗを超音波振動子３３Ａで振動させることで微細化した水滴Ｍを発生させ、水槽３２Ａの上部の加湿風路３４へと拡散させる。
【０２１１】
給水機構３２ｓは、図示しない上水管と接続され、例えば水槽３２Ａの上部に給水口３２ｓｗを備えると共に、給水ＳＷの有無を切り替える給水バルブ３２ｓｂを備える。
【０２１２】
また、排水機構３２ｅは、浴室５１の図示しない排水管と接続され、水槽３２Ａの底面に排水口３２ｅｗを備えると共に、排水ＥＷの有無を切り替える排水バルブ３２ｅｂを備える。
【０２１３】
水位センサ３２ｗは、水槽３２Ａ内にフロートを備え、フロートの位置で水位を検出する。
【０２１４】
風路切換部３１は、風路を切り替えるダンパ３１ａを備える。ダンパ３１ａは、図示しないダンパモータに駆動され、軸３１ｂを支点に回転して加湿風路３４の開閉動作を行う。
【０２１５】
加湿装置３Ｃ−１は、下面にフロントパネル３７を備える。フロントパネル３７は、加湿装置３Ｃ−１に着脱できるように構成され、加湿風路３４とつながる吹出グリル３７ｂを備える。
【０２１６】
また、加湿装置３Ｃ−１は、加湿風路３４とつながる吸込口３６ａを一の側面に備えると共に、吸込口３６ａに吸込ダクトジョイント３６ｂを備える。更に、加湿装置３Ｃ−１は、風路切換部３１を介して加湿風路３４とつながる排気口３６ｃを他の側面に備えると共に、排気口３６ｃに排気ダクトジョイント３６ｄを備える。
【０２１７】
吹出グリル３７ｂは加湿空気吹出口の一例で、ダンパ３１ａを実線で示す循環位置とすると、吸込口３６ａから供給された空気が、加湿風路３４によって水槽３２Ａの上部を通り、吹出グリル３７ｂから吹き出される。また、ダンパ３１ａを一点鎖線で示す換気位置とすると、吸込口３６ａから供給された空気が、排気口３６ｃから排気される。
【０２１８】
図１２は、第３の実施の形態の加湿空調システム１Ｅにおける加湿装置の第２の例を示す構成図であり、次に、加湿空調システム１Ｅを構成する加湿装置３Ｃ−２の構成について説明する。
【０２１９】
第３の実施の形態における第２の例の加湿装置３Ｃ−２は、ヒータを利用した形態の加湿装置で、水蒸気ＷＶを発生させて加湿空気ＷＡを生成する加湿部３０Ｂと、浴室空調装置２Ｅから供給された空気を浴室５１に吹き出すか、排気するかを切り替える風路切換部３１とを備える。
【０２２０】
加湿部３０Ｂは加湿手段の一例で、水Ｗを貯める水槽３２Ｂと、水槽３２Ｂに貯水された水Ｗを加熱して水蒸気ＷＶを発生させる水加熱手段としてのヒータ３３Ｂと、空気を水蒸気ＷＶで加湿して加湿空気ＷＡを生成する加湿風路３４を備える。また、加湿部３０Ｂは、水槽３２Ｂに給水を行う給水機構３２ｓと、水槽３２Ｂの排水を行う排水機構３２ｅと、水槽３２Ｂ内の水位を検出する水位センサ３２ｗを備える。
【０２２１】
水槽３２Ｂは、上面が開口して加湿風路３４に露出すると共に、内部にヒータ３３Ｂを備え、水槽３２Ｂに貯水された水Ｗをヒータ３３Ｂで加熱することで水蒸気ＷＶを発生させ、水槽３２Ｂの上部の加湿風路３４へと拡散させる。
【０２２２】
給水機構３２ｓは、図示しない上水管と接続され、例えば水槽３２Ｂの上部に給水口３２ｓｗを備えると共に、給水ＳＷの有無を切り替える給水バルブ３２ｓｂを備える。
【０２２３】
また、排水機構３２ｅは、浴室５１の図示しない排水管と接続され、水槽３２Ｂの底面に排水口３２ｅｗを備えると共に、排水ＥＷの有無を切り替える排水バルブ３２ｅｂを備える。
【０２２４】
水位センサ３２ｗは、水槽３２Ｂ内にフロートを備え、フロートの位置で水位を検出する。
【０２２５】
風路切換部３１は、風路を切り替えるダンパ３１ａを備える。ダンパ３１ａは、図示しないダンパモータに駆動され、軸３１ｂを支点に回転して加湿風路３４の開閉動作を行う。
【０２２６】
加湿装置３Ｃ−２は、下面にフロントパネル３７を備える。フロントパネル３７は、加湿装置３Ｃ−２に着脱できるように構成され、加湿風路３４とつながる吹出グリル３７ｂを備える。
【０２２７】
また、加湿装置３Ｃ−２は、加湿風路３４とつながる吸込口３６ａを一の側面に備えると共に、吸込口３６ａに吸込ダクトジョイント３６ｂを備える。更に、加湿装置３Ｃ−２は、風路切換部３１を介して加湿風路３４とつながる排気口３６ｃを他の側面に備えると共に、排気口３６ｃに排気ダクトジョイント３６ｄを備える。
【０２２８】
吹出グリル３７ｂは加湿空気吹出口の一例で、ダンパ３１ａを実線で示す循環位置とすると、吸込口３６ａから供給された空気が、加湿風路３４によって水槽３２Ｂの上部を通り、吹出グリル３７ｂから吹き出される。また、ダンパ３１ａを一点鎖線で示す換気位置とすると、吸込口３６ａから供給された空気が、排気口３６ｃから排気される。
【０２２９】
ここで、加湿装置３Ｃ（３Ｃ−１及び３Ｃ−２）は、ダンパ３１ａを循環位置とすると、吸込口３６ａから供給された空気の全部が吹出グリル３７ｂから吹き出されるように、循環位置におけるダンパ３１ａの開度が設定される構成としても良い。
【０２３０】
または、加湿装置３Ｃは、ダンパ３１ａを循環位置とすると、吸込口３６ａから供給された空気の多くが吹出グリル３７ｂから吹き出され、一部が排気口３６ｃから排気されるように、循環位置におけるダンパ３１ａの開度が設定される構成としても良い。
【０２３１】
同様に、加湿装置３Ｃは、ダンパ３１ａを換気位置とすると、吸込口３６ａから供給された空気の全部が排気口３６ｃから排気されるように、換気位置におけるダンパ３１ａの開度が設定される構成としても良い。
【０２３２】
または、加湿装置３Ｃは、ダンパ３１ａを換気位置とすると、吸込口３６ａから供給された空気の多くが排気口３６ｃから排気され、一部が吹出グリル３７ｂから吹き出されるように、換気位置におけるダンパ３１ａの開度が設定される構成としても良い。
【０２３３】
＜第５の実施の形態の加湿空調システムの設置例＞
次に、上述した浴室空調装置２Ｅと加湿装置３Ｃを備えた加湿空調システム１Ｅの設置例について、図９等を参照に説明する。
【０２３４】
浴槽５１ａ等を備えた浴室５１の天井パネルの所定の位置には、図１０で説明した浴室空調装置２Ｅの本体が入る開口部が形成され、浴室空調装置２Ｅは、フロントパネル２７が露出するようにして、天井裏から吊り下げる形態、あるいは天井パネルに固定する形態等で設置される。
【０２３５】
また、浴室５１の天井パネルには、図１１で説明した超音波振動子を利用した形態の加湿装置３Ｃ−１または図１２で説明したヒータを利用した形態の加湿装置３Ｃ−２の本体が入る開口部が形成され、加湿装置３Ｃは、フロントパネル３７が露出するようにして、天井裏から吊り下げる形態、あるいは天井パネルに固定する形態等で設置される。
【０２３６】
浴室５１の天井に取り付けられた浴室空調装置２Ｅと加湿装置３Ｃは、浴室空調装置２Ｅの排気ダクトジョイント２９ａと加湿装置３Ｃの吸込ダクトジョイント３６ｂがダクト４Ｃで接続される。
【０２３７】
また、浴室５１の天井に取り付けられた加湿装置３Ｃは、図１１または図１２に示す排気ダクトジョイント３６ｄに排気ダクト５３が接続される。排気ダクト５３は、図示しない建物の外壁５４に取り付けた屋外グリル５３ａに接続され、浴室空調装置２Ｅで浴室５１等から吸い込んだ空気を、加湿装置３Ｃ及び排気ダクト５３を介して屋外に排気できる構成となっている。
【０２３８】
更に、浴室５１の天井に取り付けられた加湿装置３Ｃは、図示しない上水管とつながる供給配管５２ａが、図１１または図１２で説明した給水機構３２ｓと接続され、浴室５１の排水口からの図示しない排水管とつながる排水配管５２ｂが、排水機構３２ｅと接続される。
【０２３９】
浴室５１に隣接した洗面脱衣所５５には、加湿空調システム１Ｅを操作する主操作部６が設置される。主操作部６は、浴室空調装置２Ｅに備えられる図示しない制御基板と例えば有線で接続される。なお、加湿空調システム１Ｅを浴室５１内でも操作できるように、副操作部を浴室５１内に設置しても良い。
【０２４０】
＜第５の実施の形態の加湿暖房運転モードの動作例＞
次に、第５の実施の形態の加湿空調システム１Ｅで実行される加湿暖房運転モードの一例について、各図を参照して説明する。ここで、加湿装置３Ｃとしては、超音波振動子を利用した形態の加湿装置３Ｃ−１を備えた例で説明する。
【０２４１】
洗面脱衣所５５に設置されている主操作部６が操作され、加湿暖房運転モードが選択されると、浴室空調装置２Ｅでは、ダンパ２５を分流位置とすると共に、ヒータ２２に通電して、ファン部２０を駆動する。
【０２４２】
浴室空調装置２Ｅは、ファンモータ２３ａによりファン２３が回転駆動されると、浴室５１の空気ＲＡが、フロントパネル２７の吸込グリル２７ａからファン吸込口２４ａに吸い込まれる。
【０２４３】
ダンパ２５の位置が図１０（ｃ）に示す分流位置であると、ファン吸込口２４ａから吹出口２６ａへの循環風路２１ａと、ファン吸込口２４ａから排気口２６ｂへの換気風路２１ｂの双方が形成されるので、フロントパネル２７の吸込グリル２７ａから吸い込まれた空気は、一部は循環風路２１ａを通って吹出グリル２７ｂから浴室５１内に吹き出される。
【０２４４】
ヒータ２２は、循環風路２１ａの吹出口２６ａに配置されるので、ヒータ２２が通電されることで、循環風路２１ａを通る空気が温められて、温風ＨＡが吹出グリル２７ｂから吹き出される。
【０２４５】
また、吸込グリル２７ａから吸い込まれた空気の残部は、換気風路２１ｂを通って排気口２６ｂから排出され、浴室空調装置２Ｅの排気口２６ｂから排出された空気は、ダクト４Ｃを通り加湿装置３Ｃ−１へ供給される。
【０２４６】
加湿暖房運転モードでは、加湿装置３Ｃ−１は、ダンパ３１ａを図１１に実線で示す循環位置とすると共に、超音波振動子３３Ａを駆動する。
【０２４７】
加湿装置３Ｃ−１は、超音波振動子３３Ａを駆動することで、水槽３２Ａに貯水された水Ｗが振動して微細化された水滴Ｍが、水槽３２Ａの上部の加湿風路３４へと拡散する。
【０２４８】
そして、浴室空調装置２Ｅから供給され、吸込口３６ａから吹き出した空気と混合して加湿空気ＷＡが生成され、フロントパネル３７の吹出グリル３７ｂから吹き出される。
【０２４９】
これにより、加湿暖房運転モードでは、浴室空調装置２Ｅからは、浴室５１内の空気を循環させながら温風ＨＡが吹き出されると共に、加湿装置３Ｃ−１からは、浴室空調装置２Ｅから供給された空気によって加湿空気ＷＡが吹き出されて、浴室５１が加湿暖房される。
【０２５０】
このように、温風ＨＡと加湿空気ＷＡの双方で浴室５１を暖房することで、温水によるミストの噴霧のみで浴室５１を暖房する場合と比較して、短時間で浴室５１の温度を上げることができる。
【０２５１】
なお、本実施の加湿空調システム１Ｅでは、加湿装置３Ｃ−１の水位センサ３２ｗの出力を監視し、水槽３２Ａ内の水が無くならないように、給水機構３２ｓで給水が行われる。
【０２５２】
すなわち、水位センサ３２ｗの出力から、水槽３２Ａ内の水位が所定量まで下がったことを検知すると、図示しない制御手段は給水バルブ３２ｓｂを開き、給水口３２ｓｗから上水を水槽３２Ａに補給する。そして、水位センサ３２ｗの出力から、水槽３２Ａ内の水位が所定量まで上がったことを検知すると、給水バルブ３２ｓｂを閉じる。
【０２５３】
なお、運転停止中のメンテナンス等で、水槽３２Ａ内の水を抜く必要がある場合は、排水バルブ３２ｅｂを開き、排水口３２ｅｗから水槽３２Ａ内の水を排水する。
【０２５４】
次に、加湿装置３Ｃとして、ヒータを利用した形態の加湿装置３Ｃ−２を備えた第５の実施の形態の加湿空調システム１Ｅで実行される加湿暖房運転モードの一例について、各図を参照して説明する。
【０２５５】
洗面脱衣所５５に設置されている主操作部６が操作され、加湿暖房運転モードが選択されると、浴室空調装置２Ｅでは、ダンパ２５を分流位置とすると共に、ヒータ２２に通電して、ファン部２０を駆動する。
【０２５６】
浴室空調装置２Ｅは、ファンモータ２３ａによりファン２３が回転駆動されると、浴室５１の空気ＲＡが、フロントパネル２７の吸込グリル２７ａからファン吸込口２４ａに吸い込まれる。
【０２５７】
ダンパ２５の位置が図１０（ｃ）に示す分流位置であると、ファン吸込口２４ａから吹出口２６ａへの循環風路２１ａと、ファン吸込口２４ａから排気口２６ｂへの換気風路２１ｂの双方が形成されるので、フロントパネル２７の吸込グリル２７ａから吸い込まれた空気は、一部は循環風路２１ａを通って吹出グリル２７ｂから浴室５１内に吹き出される。
【０２５８】
ヒータ２２は、循環風路２１ａの吹出口２６ａに配置されるので、ヒータ２２が通電されることで、循環風路２１ａを通る空気が温められて、温風ＨＡが吹出グリル２７ｂから吹き出される。
【０２５９】
また、吸込グリル２７ａから吸い込まれた空気の残部は、換気風路２１ｂを通って排気口２６ｂから排出され、浴室空調装置２Ｅの排気口２６ｂから排出された空気は、ダクト４Ｃを通り加湿装置３Ｃ−２へ供給される。
【０２６０】
加湿暖房運転モードでは、加湿装置３Ｃ−２は、ダンパ３１ａを図１２に実線で示す循環位置とすると共に、ヒータ３３Ｂを駆動する。
【０２６１】
加湿装置３Ｃ−２は、ヒータ３３Ｂを駆動することで、水槽３２Ｂに貯水された水Ｗが加熱されて水蒸気ＷＶが発生し、水槽３２Ｂの上部の加湿風路３４へと拡散する。
【０２６２】
そして、浴室空調装置２Ｅから供給され、吸込口３６ａから吹き出した空気と混合して加湿空気ＷＡが生成され、フロントパネル３７の吹出グリル３７ｂから吹き出される。
【０２６３】
これにより、加湿暖房運転モードでは、浴室空調装置２Ｅからは、浴室５１内の空気を循環させながら温風ＨＡが吹き出されると共に、加湿装置３Ｃ−２からは、浴室空調装置２Ｅから供給された空気によって加湿空気ＷＡが吹き出されて、浴室５１が加湿暖房される。
【０２６４】
このように、温風ＨＡと加湿空気ＷＡの双方で浴室５１を暖房することで、温水によるミストの噴霧のみで浴室５１を暖房する場合と比較して、短時間で浴室５１の温度を上げることができる。
【０２６５】
なお、ヒータを利用した形態の加湿装置３Ｃ−２を備えた加湿空調システム１Ｅでも、加湿装置３Ｃ−２の水位センサ３２ｗの出力を監視し、水槽３２Ｂ内の水が無くならないように、給水機構３２ｓで給水が行われる。
【０２６６】
すなわち、水位センサ３２ｗの出力から、水槽３２Ｂ内の水位が所定量まで下がったことを検知すると、図示しない制御手段は給水バルブ３２ｓｂを開き、給水口３２ｓｗから上水を水槽３２Ｂに補給する。そして、水位センサ３２ｗの出力から、水槽３２Ｂ内の水位が所定量まで上がったことを検知すると、給水バルブ３２ｓｂを閉じる。
【０２６７】
なお、運転停止中のメンテナンス等で、水槽３２Ｂ内の水を抜く必要がある場合は、排水バルブ３２ｅｂを開き、排水口３２ｅｗから水槽３２Ｂ内の水を排水する。
【０２６８】
ここで、超音波振動子を利用した形態の加湿装置３Ｃ−１またはヒータを利用した形態の加湿装置３Ｃ−２を備えた加湿空調システム１Ｅにおける上述した加湿暖房運転モードの動作例では、浴室空調装置２Ｅによる温風の吹き出しと、加湿装置３Ｃによる加湿空気の生成を同時に開始して、加湿暖房運転モードが実行されると、温風ＨＡと加湿空気ＷＡが同時に吹き出されるようにした。
【０２６９】
これに対して、ダンパ２５を循環位置として、浴室空調装置２Ｅによる温風の吹き出しを開始した後、温度検出センサ２８で浴室５１の温度を検出し、加湿空気の吹き出しに適した温度になると、ダンパ２５を分流位置とすると共に、加湿装置３Ｃによる加湿空気の生成を開始して、加湿空気ＷＡが吹き出されるようにしても良い。
【０２７０】
また、ヒータを利用した形態の加湿装置３Ｃ−２を備えた加湿空調システム１Ｅでは、ダンパ２５を循環位置として、浴室空調装置２Ｅによる温風の吹き出しを開始した後、温度検出センサ２８で浴室５１の温度を検出し、加湿空気の吹き出しに適した温度になると、ヒータ２２の駆動は停止し、ダンパ２５を換気位置にして、浴室空調装置２Ｅによる温風の吹き出しを中断すると共に、加湿装置３Ｃ−２による加湿空気の生成を開始して、加湿空気ＷＡが吹き出されるようにしても良い。
【０２７１】
このように、加湿装置３Ｃ−２のヒータ３３Ｂが駆動されている間は、浴室空調装置２Ｅのヒータ２２の駆動を停止することで、消費電力を抑えることができる。
【０２７２】
次に、浴室空調装置２Ｅによる他の運転モードの動作について説明する。浴室空調装置２Ｅは、ファンモータ２３ａによりファン２３が回転駆動されると、フロントパネル２７の吸込グリル２７ａからファン吸込口２４ａに空気ＲＡが吸い込まれる。
【０２７３】
ダンパ２５の位置が図１０（ａ）に示す循環位置であると、ファン吸込口２４ａから吹出口２６ａへの循環風路２１ａが形成されるので、吸込グリル２７ａから吸い込まれた空気ＲＡは、循環風路２１ａを通ってフロントパネル２７の吹出グリル２７ｂから吹き出される。
【０２７４】
ヒータ２２は、循環風路２１ａの吹出口２６ａに配置されるので、ヒータ２２が通電されることで、循環風路２１ａを通る空気が温められて、温風が吹出グリル２７ｂから吹き出す。
【０２７５】
これにより、ダンパ２５を循環位置として、ファン部２０が駆動されると、ヒータ２２に通電した場合は、図９に示す浴室５１内の空気を循環させながら、浴室５１内に温風が吹き出されて、浴室５１が暖房される。
【０２７６】
ダンパ２５の位置が図１０（ｂ）に示す換気位置であると、ファン吸込口２４ａから排気口２６ｂへの換気風路２１ｂが形成されるので、フロントパネル２７の吸込グリル２７ａから吸い込まれた空気は、換気風路２１ｂを通って排気口２６ｂから排気される。
【０２７７】
加湿装置３Ｃでは、超音波振動子３３Ａまたはヒータ３３Ｂを駆動せず、ダンパ３１ａを図１１または図１２に一点鎖線で示す換気位置とすることで、浴室空調装置２Ｅの排気口２６ｂから排気された空気ＥＡが、加湿されることなく加湿風路３４を通り、排気口３６ｃから排気される。
【０２７８】
これにより、浴室空調装置２Ｅのダンパ２５を換気位置として、ファン部２０が駆動され、かつ、加湿装置３Ｃのダンパ３１ａを換気位置とすると、浴室５１内の湯気や湿気が排気されて、浴室５１が換気される。
【０２７９】
ダンパ２５の位置が図１０（ｃ）に示す分流位置であると、ファン吸込口２４ａから吹出口２６ａへの循環風路２１ａと、ファン吸込口２４ａから排気口２６ｂへの換気風路２１ｂの双方が形成されるので、フロントパネル２７の吸込グリル２７ａから吸い込まれた空気は、一部は循環風路２１ａを通って吹出グリル２７ｂから浴室５１内に吹き出される。
【０２８０】
また、吸込グリル２７ａから吸い込まれた空気の残部は、換気風路２１ｂを通って排気口２６ｂから排気される。
【０２８１】
加湿装置３Ｃでは、超音波振動子３３Ａまたはヒータ３３Ｂを駆動せず、ダンパ３１ａを換気位置とすることで、浴室空調装置２Ｅの排気口２６ｂから排気された空気が、加湿されることなく加湿風路３４を通り、排気口３６ｃから排気される。
【０２８２】
これにより、ダンパ２５を分流位置として、ファン部２０が駆動され、かつ、加湿装置３Ｃのダンパ３１ａを換気位置とすると、ヒータ２２に通電した場合は、浴室５１内の空気を循環させて浴室５１内に温風を吹き出しながら、浴室５１内の湯気や湿気が排気されて、浴室５１や洗濯物等が乾燥される。なお、ヒータ２２が非通電の場合は、浴室５１内の空気を循環させながら、浴室５１内の湯気や湿気が排気される。
【０２８３】
＜第５の実施の形態の加湿空調システムの作用効果例＞
第５の実施の形態の加湿空調システム１Ｅでも、加湿装置３Ｃは浴室空調装置２Ｅと独立した装置で、加湿空気の送風は、浴室空調装置２Ｅから吹き出される空気の流れを利用することで、加湿装置３Ｃには送風のためのファン部を非搭載にできる。
【０２８４】
これにより、加湿装置３Ｃは、ファンとファンモータを省略することにより低コスト化が可能であると共に、部品点数を少なくできることから、小型化が可能である。また、加湿装置３Ｃのフロントパネル３７は吸込グリルが不要で、吹出グリル３７ｂを備えれば良いので、浴室５１に露出するフロントパネル３７の小型化が可能で、見栄えが良くなる。
【０２８５】
更に、加湿手段として超音波振動子を備えた加湿装置３Ｃ−１、またはヒータを備えた加湿装置３Ｃ−２を使用することで、微細化されて拡散した水滴、または水蒸気により空気が加湿され、霧状の加湿空気ＷＡが浴室５１に吹き出されるので、水滴が直接噴き出されるノズル式のミスト噴霧発生装置と比較して、入浴者が直接水滴を浴びることがなく、加湿暖房に伴う発汗効果を実感できる。
【０２８６】
また、加湿手段として超音波振動子を備えた加湿装置３Ｃ−１では、ヒータが不要であるので、消費電力を抑えることができる。これに対して、ヒータを備えた加湿装置３Ｃ−２では、水を加熱するので、雑菌の繁殖を抑えることができる。
【０２８７】
更に、加湿装置３Ｃに、既存の浴室暖房換気乾燥装置を組み合わせて加湿空調システムを実現できる。
【産業上の利用可能性】
【０２８８】
本発明は、浴室やシャワー室等の加湿暖房を行う空調システムに適用される。
【図面の簡単な説明】
【０２８９】
【図１】第１の実施の形態の加湿空調システムの一例を示す構成図である。
【図２】第１の実施の形態における浴室空調装置の一例を示す構成図である。
【図３】第１の実施の形態における加湿装置の第１の例を示す構成図である。
【図４】第１の実施の形態における加湿装置の第２の例を示す構成図である。
【図５】第２の実施の形態の加湿空調システムの一例を示す構成図である。
【図６】第３の実施の形態の加湿空調システムの一例を示す構成図である。
【図７】第３の実施の形態における浴室空調装置の一例を示す構成図である。
【図８】第４の実施の形態の加湿空調システムの一例を示す構成図である。
【図９】第５の実施の形態の加湿空調システムの一例を示す構成図である。
【図１０】第５の実施の形態における浴室空調装置の一例を示す構成図である。
【図１１】第５の実施の形態における加湿装置の第１の例を示す構成図である。
【図１２】第５の実施の形態における加湿装置の第２の例を示す構成図である。
【符号の説明】
【０２９０】
１Ａ，１Ｂ，１Ｃ，１Ｄ，１Ｅ・・・加湿空調システム、２Ａ，２Ｂ，２Ｃ，２Ｄ，２Ｅ・・・浴室空調装置、３Ａ，３Ｂ，３Ｃ・・・加湿装置、４Ａ，４Ｂ，４Ｃ・・・ダクト、２０・・・ファン部、２１・・・風路切換部、２２・・・ヒータ、３３Ａ・・・超音波振動子、３３Ｂ・・・ヒータ、３７・・・フロントパネル、３７ａ・・・吸込グリル、３７ｂ・・・吹出グリル、３９・・・フロントパネル、３９ａ・・・吸込グリル、３９ｂ・・・吹出グリル、３９ｃ・・・吸込グリル、５１・・・浴室
【図１】
2008157529.tif 000003
【図２】
2008157529.tif 000004
【図３】
2008157529.tif 000005
【図４】
2008157529.tif 000006
【図５】
2008157529.tif 000007
【図６】
2008157529.tif 000008
【図７】
2008157529.tif 000009
【図８】
2008157529.tif 000010
【図９】
2008157529.tif 000011
【図１０】
2008157529.tif 000012
【図１１】
2008157529.tif 000013
【図１２】
2008157529.tif 000014